【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
第１プレート（２４）と、
前記第１プレート（２４）から間隔を置いて配置された第２プレート（２６）と、
前記第１プレート（２４）、及び前記第２プレート（２６）を、間隔を置いて配置された関係に維持するために、前記第１プレート（２４）と、前記第２プレート（２６）との間に配置されたスペーサ素子（２８）であって、オリフィス（３０）が内部に形成されたスペーサ素子（２８）と、
流体（２２）の流れが生成され、前記オリフィス（３０）から外に噴出するように、アクチュエータ素子の偏向を、選択的に引き起こすために、前記第１プレート（２４）、及び前記第２プレート（２６）のうちの、少なくとも１つに結合させた前記アクチュエータ素子とを含むシンセティックジェット（１２）と、
前記シンセティックジェット（１２）を支持するために、前記シンセティックジェット（１２）の周りに配置されたＵ字型で強固な据え付け取付けブラケット（１４）と、
前記シンセティックジェット（１２）を、可動に固定された構成で、前記取付けブラケット（１４）に結合させる、複数のサスペンションタブ（５６）とを備え、前記複数のサスペンションタブ（５６）が、３つのサスペンションタブ（５６）、４つのサスペンションタブ（５６）、５つのサスペンションタブ（５６）、又は６つのサスペンションタブ（５６）の構成を備える、シンセティックジェット組立体（１０）。
【請求項２】
前記複数のサスペンションタブ（５６）と比較して、前記取付けブラケット（１４）が、強固な構造体であり、
前記複数のサスペンションタブ（５６）のそれぞれが、前記シンセティックジェット（１２）と、前記取付けブラケット（１４）との間に、半可撓性接続部を提供するエラストマー材料で形成されている、請求項１に記載のシンセティックジェット組立体（１０）。
【請求項３】
前記エラストマー材料から形成された前記サスペンションタブ（５６）が、前記シンセティックジェット（１２）と、前記取付けブラケット（１４）との間の振動を減衰させるように構成されている、請求項２に記載のシンセティックジェット組立体（１０）。
【請求項４】
前記取付けブラケット（１４）が、一対の側脚部（６０、６２）を連結する後脚部（５８）を有し、
前記複数のタブが、少なくとも１つのサスペンションタブ（５６）が、各側脚部及び後脚部に配置されるように構成され、
各側脚部（６０、６２）に配置された、前記少なくとも１つのサスペンションタブ（５６）が、
前記側脚部（６０、６２）の中心、中心より前方、又は中心より後方に存在するように配置された、単一のサスペンションタブ（５６）、又は
前記側脚部（６０、６２）の中心の両側に配置されるように位置付けられた、一対のサスペンションタブ（５６）のいずれかを備える、請求項１乃至３のいずれかに記載のシンセティックジェット組立体（１０）。
【請求項５】
前記複数のサスペンションタブ（５６）が、前記シンセティックジェット（１２）を、前記取付けブラケット（１４）に結合させるために、前記シンセティックジェット（１２）の前記スペーサ素子（２８）、又は前記第１プレート（２４）、及び前記第２プレート（２６）に据え付けられており、
前記複数のサスペンションタブ（５６）が、前記シンセティックジェット（１２）の動作中、前記第１プレート（２４）、及び前記第２プレート（２６）のモード形状に影響を及ぼすように、前記第１プレート（２４）、及び前記第２プレート（２６）を、前記取付けブラケット（１４）に固定する、請求項１乃至４のいずれかに記載のシンセティックジェット組立体（１０）。
【請求項６】
シンセティックジェット組立体（１０）を製造する方法であって、
一連の流体（２２）の渦を生成し、噴出させるように構成された、シンセティックジェット（１２）を提供することであって、前記シンセティックジェット（１２）が、
第１プレート（２４）と、
前記第１プレート（２４）から間隔を置いて配置された第２プレート（２６）と、
前記第１プレート（２４）、及び前記第２プレート（２６）を、間隔を置いて配置された関係に維持するために、前記第１プレート（２４）と、前記第２プレート（２６）との間に配置されたスペーサ素子（２８）であって、オリフィス（３０）が内部に形成されたスペーサ素子（２８）と、
前記一連の流体（２２）の渦が生成され、前記オリフィス（３０）から外に噴出するように、アクチュエータ素子の偏向を、選択的に引き起こすために、前記第１プレート（２４）、及び前記第２プレート（２６）のうちの、少なくとも１つに結合させた前記アクチュエータ素子とを含むことと、
取付けブラケット（１４）を、部分的に、前記シンセティックジェット（１２）の周りに配置することと、
複数のサスペンションタブ（５６）を、前記シンセティックジェット（１２）の本体（１６）と、前記取付けブラケット（１４）との間に形成することであって、前記複数のサスペンションタブ（５６）が、前記シンセティックジェット（１２）の本体（１６）を、可動に固定された構成で、前記取付けブラケット（１４）に取り付けることとを含み、
前記取付けブラケット（１４）を配置することが、Ｕ字型取付けブラケット（１４）を、部分的に、前記シンセティックジェット（１２）の周りに配置することを含み、
前記複数のサスペンションタブ（５６）を形成することが、前記シンセティックジェット（１２）の３辺が、前記Ｕ字型取付けブラケット（１４）に据え付けられるように、前記Ｕ字型ブラケット（１４）の各脚部に、少なくとも１つのサスペンションタブ（５６）を形成することを含む、方法。
【請求項７】
前記複数のサスペンションタブ（５６）を形成することが、多数の位置で、前記シンセティックジェット（１２）と、前記取付けブラケット（１４）との間に、エラストマー材料を設けることを含み、
前記エラストマー材料から形成された前記サスペンションタブ（５６）が、前記シンセティックジェット（１２）と、前記取付けブラケット（１４）との間の振動を減衰させるように構成されている、請求項６に記載の方法。
【請求項８】
前記複数のサスペンションタブ（５６）が、前記シンセティックジェット（１２）の動作中、前記第１プレート（２４）、及び前記第２プレート（２６）のモード形状を制御するために、前記第１プレート（２４）、及び前記第２プレート（２６）を、前記取付けブラケット（１４）に固定する、請求項６または７に記載の方法。
【請求項９】
キャビティ（２０）、及びオリフィス（３０）が内部に形成された本体（１６）と、
前記本体（１６）の偏向を選択的に引き起こし、これにより、流体（２２）の流れが生成され、前記オリフィス（３０）から外に噴出するように、前記本体（１６）に結合した、少なくとも１つのアクチュエータ素子とを備えるシンセティックジェット（１２）と、
一対の側脚部（６０、６２）を連結する後脚部（５８）を含み、前記シンセティックジェット（１２）を支持するために、部分的に、前記シンセティックジェット（１２）の周りに配置された、Ｕ字型で強固な金属製Ｕ字型取付けブラケット（１４）と、
前記シンセティックジェット（１２）を、前記取付けブラケット（１４）に結合させ、複数のサスペンションタブ（５６）が、前記側脚部及び後脚部の各々に配置されるように構成された、複数のサスペンションタブ（５６）とを備えるシンセティックジェット組立体（１０）。
【請求項１０】
前記シンセティックジェット（１２）の前記本体（１６）が、
第１プレート（２４）と、
前記第１プレート（２４）から間隔を置いて配置された第２プレート（２６）と、
前記第１プレート（２４）、及び前記第２プレート（２６）を、間隔を置いて配置された関係に維持するために、前記第１プレート（２４）と、前記第２プレート（２６）との間に配置されたスペーサ素子（２８）であって、オリフィス（３０）が内部に形成されたスペーサ素子（２８）とを含み、
前記少なくとも１つのアクチュエータ素子が、前記流体（２２）の流れが生成され、前記オリフィス（３０）から外に噴出するように、前記アクチュエータ素子の偏向を、選択的に引き起こすために、前記第１プレート（２４）、及び前記第２プレート（２６）のうちの、少なくとも１つに結合している、請求項９に記載のシンセティックジェット組立体（１０）。
【請求項１１】
前記複数のサスペンションタブ（５６）のそれぞれが、前記シンセティックジェット（１２）と、前記取付けブラケット（１４）との間の振動を減衰させるように、前記シンセティックジェット（１２）と、前記取付けブラケット（１４）との間に、半可撓性接続部を提供する、請求項９または１０に記載のシンセティックジェット組立体（１０）。
【請求項１２】
前記複数のサスペンションタブ（５６）が、前記シンセティックジェット（１２）を、前記取付けブラケット（１４）に結合させるために、前記シンセティックジェット（１２）の前記本体（１６）に据え付けられており、
前記複数のサスペンションタブ（５６）が、前記シンセティックジェット（１２）の動作中、前記本体（１６）のモード形状を制御するために、前記本体（１６）を、前記取付けブラケット（１４）に固定する、請求項９乃至１１のいずれかに記載のシンセティックジェット組立体（１０）。